(57)【要約】      （修正有）【課題】貝付き養殖ロープを海中から引き揚げて船上で貝を取り外し洗浄する作業における作業者の負担を軽減するとともに、水揚げ時に貝が貝付き養殖ロープから海中や船上に落下することなく洗浄装置まで搬送されるようにすることができる貝外し搬送装置を提供する。【解決手段】貝外し搬送装置１は、貝付き養殖ロープＲＳが接触したときに少なくとも接触した部分が貝付き養殖ロープＲＳの走行方向と同じ方向に移動するドラム部１０と、走行する貝付き養殖ロープＲＳから貝を取り外す貝外し部２０と、貝付き養殖ロープＲＳから外れた貝を搬送する搬送部４０と、貝が取り外された養殖ロープＲＳを引くロープ引き部３０とを備える。【選択図】図３
2018174732.tif 000002
【特許請求の範囲】
【請求項１】
貝吊り用ピンによって貝が養殖ロープに吊るされた貝付き養殖ロープから貝を取り外し、取り外された貝を搬送するための貝外し搬送装置であって、
走行する貝付き養殖ロープが接触したときに、少なくとも接触した部分が貝付き養殖ロープの走行方向と同じ方向に移動するように構成されたドラム部と、
前記ドラム部に対して貝付き養殖ロープの走行方向下流側に配置された、走行する貝付き養殖ロープから貝を取り外す貝外し部と、
貝付き養殖ロープから外れた貝を搬送する搬送部と、
貝が取り外された養殖ロープを引くロープ引き部と
を備えることを特徴とする貝外し搬送装置。
【請求項２】
前記ドラム部は、走行する貝付き養殖ロープが接触したときに少なくとも接触した部分が撓みながら移動する可撓性の移動面を有することを特徴とする、請求項１に記載の貝外し装置。
【請求項３】
前記ドラム部は、
互いに対向する面を有する２つの側部部材と、
前記２つの側部部材間を渡すように前記対向する面に垂直な方向に延びる複数の渡し部材と、
前記複数の渡し部材の外側を覆うように配置され、貝付き養殖ロープが接触したときに少なくとも接触した部分が前記ドラム部の内側に撓む可撓性部材と
を有することを特徴とする、請求項２に記載の貝外し搬送装置。
【請求項４】
前記複数の渡し部材は、隣接する渡し部材間の間隔が貝付き養殖ロープの貝吊り用ピンの間隔と同程度となるように配置されていることを特徴とする、請求項３に記載の貝外し搬送装置。
【請求項５】
前記貝外し部は、養殖ロープを通し、貝を通さない大きさの間隔を持って配置された一対の棒状部材と、一対の棒状部材の外側に設けられた板状部材とを有することを特徴とする、請求項１に記載の貝外し搬送装置。
【請求項６】
貝が取り外された後の養殖ロープの走行方向を、前記貝外し部より前における貝付き養殖ロープの走行方向からみて側方に転換するための方向転換部が、前記貝外し部の下流側に設けられていることを特徴とする、請求項１に記載の貝外し搬送装置。
【請求項７】
前記搬送部は、貝付き養殖ロープと前記ドラム部との接触によって養殖ロープから外れた貝、前記ドラム部から前記貝外し部までの間で貝付き養殖ロープから外れた貝、及び前記貝外し部で養殖ロープから外れた貝を受けるのに十分な大きさを有することを特徴とする、請求項１に記載の貝外し搬送装置。
【請求項８】
貝吊り用ピンによって貝が養殖ロープに吊るされた貝付き養殖ロープから貝を取り外し、取り外された貝を搬送するための貝外し搬送方法であって、
走行する貝付き養殖ロープが接触したときに、少なくとも接触した部分が貝付き養殖ロープの走行方向と同じ方向に移動するように構成されたドラム部を経由して、貝付き養殖ロープを走行させる工程と、
走行する貝付き養殖ロープから貝を取り外す工程と、
貝付き養殖ロープから取り外された貝を搬送する工程と、
貝が取り外された養殖ロープを引く工程と
を含むことを特徴とする貝外し搬送方法。
【請求項９】
貝付き養殖ロープを走行させる工程は、貝付き養殖ロープを、該貝付き養殖ロープが接触したときに少なくとも接触した部分が撓みながら移動する可撓性の移動面を経由して走行させることを含むことを特徴とする、請求項８に記載の貝外し搬送方法。
【請求項１０】
貝が取り外された後の養殖ロープの走行方向を、貝を取り外す前記工程より前の貝付き養殖ロープの走行方向からみて側方に転換するための方向転換工程をさらに含むことを特徴とする、請求項８に記載の貝外し搬送方法。
【請求項１１】
貝を搬送する工程は、貝を取り外す工程の前までに養殖ロープから外れた貝と、貝付き養殖ロープから貝を取り外す工程において養殖ロープから外れた貝とを搬送することを特徴とする、請求項８に記載の貝外し搬送方法。
【発明の詳細な説明】
【技術分野】
【０００１】
本発明は、貝吊り用ピンによって貝が養殖ロープに吊るされた貝付き養殖ロープから貝を取り外し、取り外された貝を搬送するための貝外し搬送装置及び貝外し搬送方法に関する。
【背景技術】
【０００２】
ホタテ貝やカキ貝などの貝の吊り下げ養殖では、例えばホタテ貝の例として示される図１（ａ）のように、長さ１０〜１５ｍの養殖ロープＲに、長さ方向に沿って多数の貝Ｓが吊るされる。養殖ロープＲに貝Ｓを吊るすために、貝吊り用ピンＰ（一般に、アゲピンと呼ばれている）が用いられる。貝Ｓと貝吊り用ピンＰと養殖ロープＲとを合わせて、貝付き養殖ロープＲＳという。貝吊り用ピンＰは、通常、樹脂製であり、両端及び中央付近に、該ピンの長さ方向中央部に向かって斜めに立ち上がるくさび状の係止部を有する。両端の係止部は、貝ＳがピンＰから抜けるのを防止し、中央の係止部は、養殖ロープＲに差し込まれたピンＰが偏るのを防止する。
【０００３】
例えばホタテ貝Ｓの例では、養殖ロープＲに一定間隔で貝吊り用ピンＰを貫通させ、養殖ロープＲから突出したピンＰの両側に、耳片に穴を開けた１〜２枚のホタテ貝Ｓが吊るされる。１本の貝付き養殖ロープＲＳにおいては、一般に約１０〜１２ｃｍの間隔で１００本前後の貝吊り用ピンＰが養殖ロープＲに差し込まれている。したがって、１本の貝付き養殖ロープＲＳには、２００枚程度のホタテ貝Ｓが吊り下げされており、貝付き養殖ロープＲＳは、３０ｋｇ〜４０ｋｇもの重量を有する場合がある。ホタテ貝Ｓは、出荷時に、図１（ｂ）に示されるように、貝外し装置を用いて貝付き養殖ロープＲＳから外される。通常、貝外し装置は、養殖ロープＲは通るが貝Ｓは通らない程度の空間が設けられたＵ字部材を有する。巻きローラで養殖ロープＲを引き、Ｕ字部材で貝Ｓを止めることによって、貝Ｓを養殖ロープＲから取り外すことができる。
【０００４】
図２には、貝Ｓの水揚げの際に、洗浄装置の前工程として用いられる貝外し装置の例を示す。貝付き養殖ロープＲＳは、強力に引かれながら海中から揚げられる。引き揚げられた貝付き養殖ロープＲＳは、船縁に設けられた滑り板を経由して搬送され、貝外し装置（一般に、耳吊りカッターという）において貝Ｓを止めることによって、養殖ロープＲから貝Ｓが取り外される。貝外し装置の近くには、貝付き養殖ロープＲＳを貝外し装置に導くための滑り板が設けられる。外された貝Ｓは、円筒形の洗浄装置（一般に、ミキサーという）に直接投入され、付着物や泥などが除去される。洗浄装置の入口部分には、図２に示されるように、貝外し装置の下方に位置するホッパーが設けられている。したがって、貝外し装置で外された貝Ｓは、直接ホッパーに落ち、洗浄装置内に投入される。
【０００５】
貝類付きロープを水揚げして貝を取り外す装置として、特許文献１に記載の技術が提案されている。この装置は、貝類付きロープを海中からスリップさせることなく確実に引き上げるために、船から海上に傾斜して突出する強制回転式のコンベアを用いるものである。回転式コンベアの表面には、滑り止め機能が設けられている。回転式コンベアに乗って引き上げられた貝類付きロープは、船上の貝類除去具に導かれ、ロープから貝が取り外される。取り外された貝は、船上に設けられた籠などに収容される。
【先行技術文献】
【特許文献】
【０００６】
【特許文献１】特開２０１１−２２９４４２号明細書
【発明の概要】
【発明が解決しようとする課題】
【０００７】
図２に示されるような、洗浄装置の前段に貝外し装置が配置される従来の構成においては、作業者の作業負担が大きいという課題がある。貝付き養殖ロープＲＳは、上述のように大変重量が大きい。これを水揚げする際には、作業者は、養殖ロープＲを手に巻き付け、重量の大きな貝付き養殖ロープＲＳを海面から貝外し装置まで引き上げる作業を行わなければならず、その作業により手首や肩を負傷する場合がある。これは、図２に示されるような構成の貝外し装置と洗浄装置とを組み合わせて用いる場合には、海面から貝外し装置までの距離が長く、貝外し装置が高い位置に設けられていることが要因である。特許文献１の装置においても同様に、外された貝Ｓを洗浄装置に直接投入しようとすれば、貝類除去具を海面から離れた高い位置に設置しなければならず、図２の場合と同様の問題が生じる。
【０００８】
また、図２及び特許文献１に記載される従来の装置では、貝付き養殖ロープＲＳが滑り板や回転コンベアに当たると、貝Ｓと滑り板や回転コンベアとの摩擦で貝吊り用ピンＰが切断されたり、貝Ｓが貝吊り用ピンＰから外れたりすることにより、貝Ｓが船外に落下する場合がある。貝外し装置の近くに設けられた滑り板においても同様の理由により貝Ｓが船上に落下することがあり、落下した貝Ｓは、作業者がホッパーに投入しなければならず、作業負担が増大する。
【０００９】
本発明は、貝付き養殖ロープを海中から引き揚げて船上で貝を取り外し洗浄する作業における作業者の負担を軽減することができる貝外し搬送装置及び貝外し搬送方法を提供することを課題とする。
また本発明は、さらに、水揚げ時に貝が貝付き養殖ロープから海中や船上に落下することなく洗浄装置まで搬送されるようにすることができる貝外し搬送装置及び貝外し搬送方法を提供することを課題とする。
【課題を解決するための手段】
【００１０】
一態様によれば、本発明は、貝吊り用ピンによって貝が養殖ロープに吊るされた貝付き養殖ロープから貝を取り外し、取り外された貝を搬送するための貝外し搬送装置を提供する。本装置は、走行する貝付き養殖ロープが接触したときに、少なくとも接触した部分が貝付き養殖ロープの走行方向と同じ方向に移動するように構成されたドラム部と、ドラム部に対して貝付き養殖ロープの走行方向下流側に配置された、走行する貝付き養殖ロープから貝を取り外す貝外し部と、貝付き養殖ロープから外れた貝を搬送する搬送部と、貝が取り外された養殖ロープを引くロープ引き部とを備える。一実施形態においては、ドラム部は、走行する貝付き養殖ロープが接触したときに少なくとも接触した部分が撓みながら移動する可撓性の移動面を有する。
【００１１】
一実施形態においては、ドラム部は、互いに対向する面を有する２つの側部部材と、２つの側部部材間を渡すように前記対向する面に垂直な方向に延びる複数の渡し部材とを有するものとすることができる。複数の渡し部材の外側には、それらの渡し部材を覆うように配置され、貝付き養殖ロープが接触したときに少なくとも接触した部分がドラム部の内側に撓む可撓性部材が設けられる。複数の渡し部材は、隣接する渡し部材間の間隔が貝付き養殖ロープの貝吊り用ピンの間隔と同程度となるように配置されていることが好ましい。
【００１２】
一実施形態においては、貝外し部は、養殖ロープを通し、貝を通さない大きさの間隔を持って配置された一対の棒状部材と、一対の棒状部材の外側に設けられた板状部材とを有するものとすることができる。一実施形態においては、貝が取り外された後の養殖ロープの走行方向を、貝外し部より前における貝付き養殖ロープの走行方向からみて側方に転換するための方向転換部を、貝外し部の下流側に設けることが好ましい。
【００１３】
一実施形態においては、搬送部は、貝付き養殖ロープとドラム部との接触によって養殖ロープから外れた貝、ドラム部から貝外し部までの間で貝付き養殖ロープから外れた貝、及び貝外し部で養殖ロープから外れた貝を受けるのに十分な大きさを有するものであることが好ましい。
【００１４】
別の態様によれば、本発明は、貝吊り用ピンによって貝が養殖ロープに吊るされた貝付き養殖ロープから貝を取り外し、取り外された貝を搬送するための貝外し搬送方法を提供する。本方法は、走行する貝付き養殖ロープが接触したときに、少なくとも接触した部分が貝付き養殖ロープの走行方向と同じ方向に移動するように構成されたドラム部を経由して、貝付き養殖ロープを走行させる工程と、走行する貝付き養殖ロープから貝を取り外す工程と、貝付き養殖ロープから取り外された貝を搬送する工程と、貝が取り外された養殖ロープを引く工程とを含む。一実施形態に置いては、本方法は、貝を取り外す工程の前に、貝付き養殖ロープを、該貝付き養殖ロープが接触したときにその走行に伴って回転するドラム部を経由して走行させる工程、又は、該貝付き養殖ロープが接触したときに撓みながら移動する可撓性の移動面を経由して走行させる工程を含む。
【発明の効果】
【００１５】
本発明によれば、貝外し部を船縁の近傍に配置するとともに、貝外し部の直後において養殖ロープの搬送方向を転換させるように装置を構成することによって、海面から近くかつ低い位置で貝付き養殖ロープの水揚げ作業を行うことができるため、作業者の負担が軽減する。また、貝付き養殖ロープは、海面から船上に揚げられる際に、その走行に伴って接触部分が走行方向と同じ方向に移動するドラム部又は可撓性の移動面を有するドラム部に接触する。このドラム部は、貝付き養殖ロープが接触したときに貝吊り用ピンにかかる力を低減し、貝吊り用ピンが切断されたり貝が貝吊り用ピンから外れたりすることを防止することができるため、意図せずに貝が海中や船上に落下することを防ぐことができる。
【図面の簡単な説明】
【００１６】
【図１】（ａ）は貝吊り用ピンを用いて貝が養殖ロープに吊るされた貝付き養殖ロープの例を示し、（ｂ）は、貝外し装置を用いて養殖ロープから貝を外す従来の方法を示す。
【図２】従来の貝外し方法に用いられる装置の概略図である。
【図３】本発明の一実施形態による貝外し搬送装置の概略図であり、（ａ）は貝外し搬送装置及び洗浄装置の側面図、（ｂ）貝外し搬送装置の上面図を示す。
【図４】本発明の一実施形態によるドラム部の概略図であり、（ａ）は外観斜視図、（ｂ）は分解斜視図、（ｃ）は貝付き養殖ロープの貝が可撓性部材に接触したときの状態を示す図である。
【図５】本発明の一実施形態による貝外し部、方向転換部及びロープ引き部を示す概略的な斜視図である。
【発明を実施するための形態】
【００１７】
以下において、図３〜図５を参照しながら、本発明の実施形態を詳細に説明する。
【００１８】
図３は、本発明の一実施形態による貝外し搬送装置１（以下、装置１という）の概略図であり、図３（ａ）は側面図、図３（ｂ）は上面図である。装置１は、図３に示されるように、船縁Ｆに取り付けることができる。装置１は、海中から引き揚げられた貝付き養殖ロープＲＳが最初に接触するドラム部１０と、ドラム部１０を経由して船上に揚げられた貝付き養殖ロープＲＰから貝Ｓを取り外すための貝外し部２０と、貝付き養殖ロープＲＳの養殖ロープＲを引くためのロープ引き部３０とを備えるものとすることができる。
【００１９】
貝外し部２０において貝付き養殖ロープＲＳから取り外された貝Ｓは、貝外し部２０の下方に配置された搬送部４０によって搬送される。搬送部４０によって搬送された貝Ｓは、搬送部４０の後端部から、洗浄装置２の入口部分に設けられたホッパー４に落下し、洗浄装置２の本体に投入される。図１においては、ドラム部１０、貝外し部２０及び搬送部４０は、機体６０に取り付けられて一体的な装置１として構成されているが、これに限定されるものではなく、それぞれ別個の装置として船上に配置し、組み合わせて用いるようにしてもよい。ロープ引き部３０は、機体６０に取り付ける（すなわち、装置１の構成要素の一部とする）ことができるが、装置１とは別個に船上に配置することもできる。貝付き養殖ロープＲＳの走行方向にみて貝外し部２０の下流側の直後には、養殖ロープＲの方向を転換する方向転換部５０を設けることが好ましい。
【００２０】
（ドラム部）
図４は、一実施形態によるドラム部１０の概略図である。図４（ａ）は、ドラム部１０の外観斜視図、図４（ｂ）はドラム部１０の分解斜視図、図４（ｃ）はドラム部１０と貝付き養殖ロープＲＳとの関係を示す図である。ドラム部１０は、ロープ引き部３０に引かれて走行する貝付き養殖ロープＲＳが海中から引き揚げられたときに最初に接触する装置である。ドラム部１０は、走行する貝付き養殖ロープＲＳが接触したときに、少なくとも接触した部分が貝付き養殖ロープＲＳの走行方向と同じ方向に移動するように構成されている。一実施形態においては、ドラム部１０は、走行する貝付き養殖ロープＲＳが接触すると、接触した貝付き養殖ロープＲＳの走行に伴って（すなわち、接触した貝付き養殖ロープＲＳから及ぼされる力によって）貝付き養殖ロープＲＳの走行方向と同じ方向に全体が自由回転するように構成することができる。別の実施形態においては、ドラム部１０は、自由回転ではなく、動力によって貝付き養殖ロープＲＳの走行速度と同じ速度で走行方向と同じ方向に回転するように構成することができる。
【００２１】
一実施形態においては、ドラム部１０は、図４（ｂ）に示されるように、互いに対向するように側部に配置された２つの皿状の側部部材１２、１２’を有し、側部部材１２、１２’は、それぞれ対向面１３、１３’を有する。側部部材１２、１２’は、対向面１３、１３’に向かって傾斜する傾斜部１４、１４’を有することが好ましい。この傾斜部１４、１４’が存在することによって、走行する貝付き養殖ロープＲＳがドラム部１０から脱落しにくくなる。
【００２２】
２つの側部部材１２、１２’の間には、対向面１３、１３’の間を渡すように、対向面１３、１３’に垂直な方向に延びる６本の丸棒状の渡し部材１６が設けられている。隣接する渡し部材１６間の間隔は、貝付き養殖ロープＲＳにおいて養殖ロープＲに差し込まれた貝吊り用ピンＰの間隔と同程度となるように設定されることが好ましい。また、図４においては６本の渡し部材１６が示されているが、これに限定されるものではなく、渡し部材１６は、ドラム部１０の直径に応じて６本より多くすることも少なくすることもできる。本実施形態においては、渡し部材１６として丸棒が用いられているが、これに限定されるものではなく、多角形の棒状部材、板状部材などを用いることもできる。ドラム部１０は、走行する貝付き養殖ロープＲＳが接触したときに貝付き養殖ロープＲＳの走行に伴って、軸１９の周りに回転するように構成されている。したがって、このドラム部１０を用いることにより、貝付き養殖ロープＲＳとドラム部１０との摩擦抵抗や貝付き養殖ロープＲＳがドラム部１０に接触するときの衝撃を低減させることができ、貝吊り用ピンＰが予期せず切断されたり、貝Ｓが貝付き養殖ロープＲＳから予期せず外れたりすることを防止することができる。
【００２３】
６本の渡し部材１６全体の外側、すなわち６本の渡し部材１６の長さ方向に垂直な断面でみたときに６本の渡し部材１６により形成される多角形の外周は、図４（ｃ）に示されるように、可撓性のベルト１８（可撓性部材）によって覆われることがより好ましい。可撓性ベルト１８として、樹脂ベルトを用いることが好ましいが、これに限定されるものではなく、例えば可撓性の網状ベルト、ゴムベルトなどを用いることもできる。ドラム部１０は、６本の渡し部材１６の周りを可撓性ベルト１８が覆う構造を有し、外力によって軸１９の周りに自由に回転する。したがって、ドラム部１０の可撓性ベルト１８は、図４（ｃ）に示されるように、走行する貝付き養殖ロープＲＳが接触したときに、その走行に伴って、接触した部分が隣接する２つの渡し部材１４の間で内側に撓みながら移動し、この可撓性ベルト１８は移動する移動面を構成する。したがって、このドラム部１０を用いることにより、貝付き養殖ロープＲＳの貝Ｓが回転ドラム１０に当たる際の衝撃を和らげ、貝Ｓと可撓性ベルト１８との摩擦抵抗を低減させることができ、貝吊り用ピンＰが予期せず切断されたり、貝Ｓが貝付き養殖ロープＲＳから予期せず外れたりすることを防止することができる。なお、ドラム部１０は、全体が回転するのではなく、走行する貝付き養殖ロープが接触したときにその走行に伴って可撓性ベルト１８のみが貝付き養殖ロープＲＳの走行方向と同じ方向に移動するように構成されていてもよい。
【００２４】
（貝外し部）
ドラム部１０を介して引き揚げられた貝付き養殖ロープＲＳは、次に、貝外し部２０に送られる。図５は、一実施形態による貝外し部２０と後述のロープ引き部３０及び方向転換部５０とを含む部分を、貝付き養殖ロープＲＳの走行方向下流側からみた概略図である。貝外し部２０は、２本の棒状部材２４、２４’と、２枚の板状部材２６、２６’とを有する。棒状部材２４、２４’及び板状部材２６、２６’は、機体６０に設けられた支持部材２２に取り付けられている。図５においては、貝外し部２０は一つのみが示されているが、これに限定されるものではなく、より確実に貝付き養殖ロープＲＳから貝Ｓを取り外すことができるように、２つ以上の貝外し部２０を直列又は並列に配置し、走行する貝付き養殖ロープＲＳがこれらの貝外し部２０を連続的に通過するようにしてもよい。
【００２５】
２本の棒状部材２４、２４’は、一方の端部が互いに離れる方向に曲げられ、他方の端部が支持部材２２に取り付けられている。２本の棒状部材２４、２４’は、間隔２５を持って配置されており、その間隔は、養殖ロープＲの直径より広く貝Ｓの直径より狭くなるように調節されている。養殖ロープＲが貝外し部２０の間隔２５内に通され、ロープ引き部３０によって引かれると、貝外し部２０に向かって走行してきた貝付き養殖ロープＲＳの貝Ｓが２本の棒状部材２４、２４’に当たって、貝吊り用ピンＰが切断される及び／又は貝Ｓが貝付き養殖ロープＲＳから外れることになる。棒状部材２４、２４’は、一方の端部が互いに離れる方向に曲げられ、その端部間の間隔は、間隔２５より広くなっていることが好ましい。この構造により、作業者が養殖ロープＲを間隔２５に通すことが容易になる。
【００２６】
板状部材２６、２６’は、一辺が棒状部材２４、２４’の側部（外側）に取り付けられている。板状部材２６、２６’は、横断面が概ねヘの字状に形成されることが好ましく、ヘの字の内側に対応する面が貝付き養殖ロープＲＳの走行方向上流側に向くように設けられることが好ましい。貝付き養殖ロープＲＳの貝Ｓは、２本の棒状部材２４、２４’だけでなく、この板状部材２６、２６’にも当たって外れるため、板状部材２６、２６’を設けることにより、外れた貝Ｓをより確実に止めて下方に落下させることができる。
【００２７】
貝外し部２０は、図５に示される形状に限定されるものではなく、養殖ロープＲは通すが貝Ｓは通さないように構成されたいずれかの形状の空間を有するものであればよい。また、この実施形態において板状部材２６、２６’として用いられている部材は、板状のものに限定されるものではなく、貝外し部２０に向かう貝Ｓを確実に受け止めることができる形状のものであればよい。
【００２８】
（搬送部）
装置１は、貝付き養殖ロープＲＳから外れた貝Ｓを搬送する搬送部４０をさらに備える。搬送部４０は、貝Ｓを船上に落下させることなく搬送することができる程度の十分な大きさを有するものであることが好ましい。搬送部４０は、一実施形態においては、図３に示されるように、２つの回転体４１、４２と、２つの回転体４１、４２の間に無端状に張り渡されたコンベアベルト４４とを有する無端コンベアとすることができる。
【００２９】
コンベアベルト４４は、例えば機体６０の端部に設けられた動力部４７の動力で、回転体４２を介して走行させることができる。コンベアベルト４４の材質は、特に限定されるものではなく、一般的に用いられる材質のベルト、例えばゴムベルト、樹脂ベルト、金属ベルトなどを用いることができる。搬送部４０は、搬送方向下流側に向かって上り傾斜が設けられていることが好ましく、傾斜が設けられている場合でも、貝Ｓがコンベアベルト４４上を滑り落ちないように、コンベアベルト４４の表面にいずれかの形状の滑り止め突起部４９を設けることが好ましい。
【００３０】
搬送部４０は、ドラム部１０の可撓性ベルト１８の近くに一方の端部が配置され、コンベアベルト４４の前方部分の近くに他方の端部が配置されたガイド部材４８を有するものとすることもできる。ガイド部材４８は、ドラム部１０における貝付き養殖ロープＲＳと可撓性ベルト１８との接触によって貝付き養殖ロープＲＳから外れた貝Ｓ、貝外し部２０に達するまでの間において何らかの要因で貝付き養殖ロープＲＳから外れた貝Ｓ、貝外し部２０で養殖ロープＲから外れた貝を、より確実にコンベアベルト４４に載せることができるようにするものである。
【００３１】
（方向転換部）
装置１は、さらに、貝Ｓが取り外された後の養殖ロープＲの走行方向を、貝外し部２０より上流側の貝付き養殖ロープＲＳの走行方向からみて側方に転換するための方向転換部５０を備えるものとすることができる。方向転換部５０は、一実施形態においては、図５に示されるように、貝外し部２０の支持部材２２から突出した台座５２と、台座５２の上において台座５２の面から上方に垂直に延びる軸線を有するローラ５４とを有する。ローラ５４は、側面が両端部から中央部に向かって凹むように形成された鼓状のローラとすることが好ましい。
【００３２】
貝外し部２０において貝Ｓが取り外された養殖ロープＲは、貝外し部２０の下流側に、貝外し部２０の間隔２５に隣接して設けられたローラ５４の側面に巻き付けられ、装置１の側方に配置されたロープ引き部３０によって引かれることによって、走行方向を転換させることができる。養殖ロープＲの走行方向の転換角度は、一実施形態においては９０°であるが、これに限定されるものではなく、船縁Ｆから離れない位置にロープ引き部３０を設けることができる角度であればよい。
【００３３】
（ロープ引き部）
貝付き養殖ロープＲＳは、走行方向からみて方向転換部５０の下流側に配置されたロープ引き部３０によって引かれる。ロープ引き部３０は、作業負担の軽減のために、船縁Ｆの近傍に配置されることが好ましい。ロープ引き部３０は、図５に示されるように、対向して配置された２枚の円盤３２、３２’を有する。２枚の円盤３２、３２’の間には、それらの対向面が周縁部に向かって傾斜するように形成されることによって空間３４が設けられており、この空間３４内において養殖ロープＲが２枚の円盤３２、３２’の傾斜部分のいずれかの位置で挟まれるようになっている。２枚の円盤３２、３２’は、金属製であることが好ましいが、これに限定されず、例えば樹脂製の円盤でもよい。円盤３２、３２’に挟まれた養殖ロープＲは、円盤３２，３２’がモータ３８によって回転することにより引かれることになる。
【００３４】
ロープ引き部３０は、補助円盤３６を有することが好ましい。補助円盤３６は、その縁部が２枚の円盤３２、３２’の間の空間３４に入り込んで、円盤３２、３２’に挟まれた養殖ロープＲを補助円盤３６の縁部でさらに押し付けることができるように配置される。なお、ロープ引き部３０は、図５に示される構成のものに限定されるものではなく、養殖ロープＲを所望の速度で引くことができるものであればよい。
【符号の説明】
【００３５】
ＲＳ  貝付き養殖ロープ
Ｐ  貝吊り用ピン
Ｒ  養殖ロープ
Ｓ  貝
１  貝外し搬送装置
２  洗浄装置
４  ホッパー
１０  ドラム部
１２、１２’  側部部材
１３，１３’  対向面
１４，１４’  傾斜部
１６  渡し部材
１８  可撓性ベルト（可撓性部材）
１９  軸
２０  貝外し部
２２  支持部材
２４、２４’  棒状部材
２５  間隔
２６、２６’  板状部材
３０  ロープ引き部
３２、３２’  円盤
３４  空間
３６  補助円盤
３８  モータ
４０  搬送部
４１、４２  回転体
４４  コンベアベルト
４８  ガイド部材
４９  突起部
５０  方向転換部
５２  台座
５４  ローラ
６０  機体
【図１】
2018174732.tif 000003
【図２】
2018174732.tif 000004
【図３】
2018174732.tif 000005
【図４】
2018174732.tif 000006
【図５】
2018174732.tif 000007